(57)【特許請求の範囲】
【請求項１】
パイプ材（Ｐ）に直交して連結される渡り部材（Ｈ）の端部に嵌合される取付基部（２）と、前記パイプ材（Ｐ）に外嵌可能な係合凹部（７）を備えかつ前記取付基部（２）に一体に突設されたフック本体部（３）とを有する足場構築用のジョイントフックにおいて、
前記フック本体部（３）は、前記取付基部（２）の嵌合軸心から前記渡り部材（Ｈ）の略半径分偏心した位置に突設されていることを特徴とする足場構築用のジョイントフック。
【請求項２】
フック本体部（３）を取付基部（２）の嵌合軸心から偏心させたことによって形成された内隅部に補強リブ（１０）が設けられている請求項１記載の足場構築用のジョイントフック。
【請求項３】
フック本体部（３）に、係合凹部（７）内に嵌まっているパイプ材（Ｐ）の外周面に沿う円弧状縁部（１２Ａ）が先端に形成されたロック片（１２）が挿通されており、
このロック片（１２）は、その円弧状縁部（１２Ａ）が前記係合凹部（７）の開放側へ向かって直線的に出退するように、かつ、その突出方向に付勢して設けられ、
前記フック本体部（３）内に、前記ロック片（１２）を後退状態に保持するストッパ（２２）が設けられている請求項１又は請求項２記載の足場構築用のジョイントフック。
【請求項４】
ロック片（１２）の先端に、係合凹部（７）内に嵌まろうとするパイプ材（Ｐ）の外周面に当接して当該ロック片（１２）を後退方向へ押し込ませるカム面（１２Ｂ）が形成されている請求項３記載の足場構築用のジョイントフック。
【請求項５】
ロック片（１２）はフック本体部（３）の基端部から係合凹部（７）の開放側に向かって斜めに形成されたガイド孔（１６）に挿通され、
前記ロック片（１２）の基端部に、ストッパ（２２）によって後退状態に保持されている当該ロック片（１２）を突出させるための操作片（１５）が一体形成されている請求項４記載の足場構築用のジョイントフック。
【発明の詳細な説明】
【０００１】
【発明の属する技術分野】
本発明は、建築用足場を構築する場合に用いることができるジョイントフックに関するものである。
【０００２】
【従来の技術】
従来、パイプ材を縦横に組み合わせて建築用の足場を構築するに際し、主として横方向に所定間隔で設けられるパイプ材相互を連結させるために、水平方向又は斜め方向にパイプ材（以下、このパイプ材を特に「渡り部材」と言う）を設けるようにするが、この渡り部材を上記した横方向のパイプ材と接続させる部分には、図８及び図９に示すジョイントフック６０（特公昭５１−１２７７４号公報参照）を用いている。
【０００３】
このジョイントフック６０は、渡り部材Ｈの端部へ内嵌される取付基部６１と、パイプ材Ｐの係合凹部６３を具備して上記取付基部６１に一体に設けられたフック本体部６２とを有している。このフック本体部６２には、係合凹部６３内へ突出する錠止片６４と、この錠止片６４が所定角度のときに係合可能となる作動片６５とが設けられている。
【０００４】
錠止片６４は枢軸６６回りに回動自在に設けられ、この回動により、係合凹部６３にパイプ材Ｐが係合したときにこれを保持するロックオン状態（図９の状態）と、係合したパイプ材Ｐを押し出して次の押込み時に備えるロックオフ状態（図８の状態）とに、切り替わるようになっている。
また、作動片６５は別の枢軸６７を回りに回動自在に設けられ、この作動片６５を下方へ回動させると、ロックオン状態にある錠止片６４が係合凹部６３側へ回動され、同錠止片６４がロックオフ状態へ強制的に切り替わるようになっている。
【０００５】
錠止片６４と作動片６５との間にはコイルバネ６８が介装されており、このコイルバネ６８は錠止片６４を係合凹部６３側へ付勢してそのロックオフ状態を保持させるものである。
【０００６】
【発明が解決しようとする課題】
上記従来のジョイントフック６０では、取付基部６１とフック本体部６２とが同軸心状に連結されているため、パイプ材Ｐのうち、例えば図１０に示すように横方向のパイプ材ＰB を中心としてその両側方へ渡り部材Ｈを接続する場合、隣合う渡り部材Ｈ相互の軸心をずらして配置せねばならなかった。
【０００７】
このため、足場の内側の渡り部材Ｈが縦方向のパイプ材ＰA （柱材）から内側へ大きく入り込むようになるので、足場の通路スペースＷが狭くなるという不都合があった。
また、上記従来のジョイントフック６０では、パイプ材Ｐに対する接続及び離脱作業の際に次のような難点があった。
【０００８】
すなわち、従来のジョイントフック６０では、作動片６５を操作しない限り錠止片６４をロックオフすることができないので、フック本体部６２をパイプ材Ｐへ係合させる場合において、錠止片６４が既にロックオン状態となっていると、この錠止片６４が邪魔になって係合ができないことがある。
また、従来では、錠止片６４の上端部６４Ａをロックオフ状態において係合凹部６３の奥側に突出させることによりオートロック機構を構成しているため、パイプ材Ｐに係合したフック本体部６２を取り外す場合、作動片６５を操作して錠止片６４をいったんロックオフ状態にしても、係合凹部６３内にパイプ材Ｐが再度押し込まれると、再び錠止片６４が自動的にロックオン状態に戻ってしまい、ジョイントフック６０の取り外し作業が行い難いことがあった。
【０００９】
例えば、ハシゴ部材（図示略）のように、複数のジョイントフック６０を有する部材をパイプ材Ｐから取り外すには、全てのジョイントフック６０の作動片６５を同時にロックオフ操作しながらパイプ材Ｐから離脱させる必要があり、かかる作業を一人で行うのは困難であった。
更に、従来ではロックオン及びロックオフのいずれの状態でも作動片６５がフック本体部６２の背側で突出しているので、錠止片６４の状態を作動片６５の状態だけから目視確認し難いという一面もあった。
【００１０】
本発明は、このような実情に鑑み、足場として構築した場合の通路スペースを可及的に広く取れる足場建築用のジョイントフックを提供することを目的とする。
更に、本発明は、パイプ材に対する接続及び離脱作業における従来の各種不都合を解消できるようにすることを目的とする。
【００１１】
【課題を解決するための手段】
本発明では、上記目的を達成するために、次の技術的手段を講じた。
すなわち、本発明は、パイプ材に直交して連結される渡り部材の端部に嵌合される取付基部と、前記パイプ材に外嵌可能な係合凹部を備えかつ前記取付基部に一体に突設されたフック本体部とを有する足場構築用のジョイントフックにおいて、前記フック本体部は、前記取付基部の嵌合軸心から前記渡り部材の略半径分偏心した位置に突設されていることを特徴とする（請求項１）。
【００１２】
上記の本発明によれば、横方向のパイプ材の両側方から渡り部材を接続すると、両側のフック本体部が互いに反対方向へ偏って配置され、各取付基部が相殺的に合い寄るように配置されるので、隣合う渡り部材相互の軸心を一致させることができる。また、一方の渡り部材の軸心を、縦方向のパイプ材側へオーバーラップ状に偏らせるといったこともできる。いずれにしても、渡り部材を通路スペースの外側へ配することができるので、足場としての通路スペースが狭くなるのを防止できる。
【００１３】
本発明において、フック本体部を取付基部の嵌合軸心から偏心させたことによって形成された内隅部に補強リブを設けることが好ましい（請求項２）。
このようにすれば、フック本体部を取付基部のから偏心させたことに伴う機械的強度の低下を抑えることができる。
また、本発明は、パイプ材に対する接続及び離脱作業を簡便にすべく、次の技術的手段を採用する。
【００１４】
すなわち、本発明のジョイントフックでは、フック本体部に、係合凹部内に嵌まっているパイプ材の外周面に沿う円弧状縁部が先端に形成されたロック片が挿通されており、このロック片は、その円弧状縁部が前記係合凹部の開放側へ向かって直線的に出退するように、かつ、その突出方向に付勢して設けられ、前記フック本体部内に、前記ロック片を後退状態に保持するストッパが設けられている（請求項３）。
【００１５】
この場合、ロック片の円弧状縁部が係合凹部の開放側へ向かって直線的に出退するので、ストッパによってロック片をフック本体部内へ後退させた状態では、係合凹部の奥側に突出するものが何も無い状態となっている。このため、ロックオフ状態においてパイプ材を係合凹部へ嵌めたり外したりしても、ロック片が勝手にロックオン状態に戻ってしまうということがなく、従って、接続部を複数有するハシゴ等のように、一つの部材に対して複数のジョイントフックを有する部材の取り外しが容易になる。
【００１６】
この場合、ロック片の先端に、係合凹部内に嵌まろうとするパイプ材の外周面に当接して当該ロック片を後退方向へ押し込ませるカム面が形成しておけば（請求項４）、パイプ材を係合凹部へ嵌合すればロック片が自動的に後退方向へ押し込まれるので、ロック片がロックオン状態の場合でもジョイントフックをパイプ材にワンタッチで連結できるようになる。
【００１７】
また、ロック片をフック本体部の基端部から係合凹部の開放側に向かって斜めに形成されたガイド孔に挿通し、そのロック片の基端部に、ストッパによって後退状態に保持されている当該ロック片を突出させるための操作片を一体形成しておくことが好ましい（請求項５）。
この場合、ロック片が係合凹部側へ突出すると操作片がフック本体部の背側で退入し、反対に、ロック片がフック本体部内へ後退すると操作片がフック本体部の背側へ突出する。このため、操作片の状態を一目すれば、ロック片がフックオン状態にあるのか、又はフックオフ状態にあるのかを容易に確認することができる。
【００１８】
【発明の実施の形態】
以下、図面に基づいて本発明の実施の形態を説明する。
図１〜図４は本発明に係るジョイントフック１の一実施形態を示している。
このジョイントフック１は、取付基部２とこれに一体に設けられたフック本体部３とを有している。これら取付基部２及びフック本体部３は、アルミニウム合金等を素材とした鋳造法によって形成されている。
【００１９】
図５乃至図７は、上記ジョイントフック１を用いて建築用足場を構築した例を示したもので、この足場は、縦方向に（柱材として）用いられるパイプ材ＰA と、横方向に（例えば奥行き方向水平材として）用いられるパイプ材ＰB と、これら縦方向のパイプ材ＰA 同士、又は横方向のパイプ材ＰB 同士を所定間隔に連結する渡り部材Ｈ（Ｈ1 〜Ｈ3 ）とを有したものとなっている。
【００２０】
渡り部材Ｈには、他のパイプ材ＰA ，ＰB （以下、両者を総じて言うときは単に「Ｐ」を用いる）と同じように丸パイプとされたものだけでなく、踏み板として構成されたものＨ1 があり、また丸パイプとされたものの中にも、横方向のパイプ材ＰB に直交する向き（幅方向）の水平材として用いられるものＨ2 や、ブレースとして用いられるものＨ3 等がある。
【００２１】
更に、水平材とされる渡り部材Ｈ2 には、ジョイントフック１を縦使いとするもの（図５の最上部のもの）と、横使いとするもの（図５の上から二段目のもの）とがある。
前記ジョイントフック１において、取付基部２は、渡り部材Ｈの端部に形成された孔に対して内嵌される円筒形に形成されたもので、その嵌め込み後に、溶接等によって渡り部材Ｈと固定される。この取付基部２の内部は、軽量化及び材料コストの低廉化を図るため中空となっている。
【００２２】
また、フック本体部３はパイプ材Ｐに対して外嵌される係合凹部７を備え、この係合凹部７は、逆Ｕ字状の開口形状を有しており、下向きに解放された部分をパイプ材Ｐの通過口部８としている。
フック本体部３は、取付基部２が渡り部材Ｈに対して嵌合する軸心に対して、クランク状に折れ曲がった状態で偏心して突設されている。この偏心量は、渡り部材Ｈの略半径分に相当する寸法とされている。そして、フック本体部３と取付基部２とがクランク状に折れ曲がってできる内隅部には、三角形状に張り出す補強リブ１０が設けられている。
【００２３】
このフック本体部３には、通過口部８の内部から、係合凹部７へ嵌められるパイプ材Ｐの外面に沿う方向へ向けて直線的に進退自在となるロック片１２が設けられている。このロック片１２には、通過口部８をパイプ材Ｐが出たり入ったりする方向（図３及び図４の上下方向）に対し、その斜め方向に延出してフック本体部３を突き抜けるようになる操作片１５が一体的に設けられている。
【００２４】
従って、これらロック片１２及び操作片１５は、ロック片１２が通過口部８内へ向けて進出（突出）したときに操作片１５がフック本体部３の背側で退入し、反対に、ロック片１２が通過口部８からフック本体部３内へ退入したときに操作片１５がフック本体部３の背側から進出（突出）するという連動関係になっている。このため、操作片１５が突出しているか退入しているかの状態は、ロック片１２がフックオン状態にあるのか、又はフックオフ状態にあるのかを示していることになる。
【００２５】
フック本体部３には、同本体部３の基端部から係合凹部の開放側（通過口部８）に向かって斜めに延びるガイド孔１６が形成されており、このガイド孔１６に、単一の部材より一体に形成された前記ロック片１２と操作片１５とが摺動自在に挿通されている。また、ロック片１２の中途部には、その出退方向に長い長孔１７が形成されており、ガイド孔１６の内面には、この長孔１７内へ向けて突出する抜止めピン１８が設けられている。
【００２６】
ロック片１２の先端部上面側には、係合凹部７内に納まっている  パイプ材Ｐの外周面に沿う円弧状縁部１２Ａが形成されている。また、同ロック片１２の先端部下面側には、通過口部８をパイプ材Ｐが出たり入ったりする方向に対して、図３に示すように角度θを有するカム面１２Ｂが形成されている。このため、ロック片１２が通過口部８内へ進出したロックオン状態のままでも、これをパイプ材Ｐへ押し付ければ、このパイプ材Ｐによってロック片１２が押され、フック本体部３内へ退入するようになる。
【００２７】
また、ロック片１２の下端部には、通過口部８へ向く側とは反対側の面で突出する係止突起２１が設けられている。これに対し、フック本体部３の内部には、ガイド孔１６の内方へ向けて階段状の折曲部を有した板バネ（ストッパ）２２が設けられている。従って、ロック片１２がフック本体部３内へ押し込まれると、係止突起２１が板バネ２２と係合し（図４参照）、ロックオフ状態が保持されるようになっている。
【００２８】
なお、通過口部８内をパイプＰが出入りするのに伴ってロック片１２がフック本体部３内へ退入される場合、この程度の退入では、係止突起２１と板バネ２２とは係合しない。すなわち、これらを係合させるには、ロック片１２を積極的に押し込む必要がある。
また、単一の部材よりなるロック片１２及び操作片１５は、ガイド孔１６内に組み込まれた復帰バネ２３により、常に、ロック片１２の先端部が通過口部８側へ進出するように付勢されている。
【００２９】
従って、ロック片１２が通過口部８へ進出したロックオン状態とされたとき、この状態が復帰バネ２３によって保持されると共に、ロック片１２がフック本体部３内へ退入されたロックオフ状態では、係止突起２１と板バネ２２との係合がガタツキの無いものに保持されることになる。
なお、ロック片１２の係止突起２１と板バネ２２との係合状態は、操作片１５をフック本体部３の背側へ強制的に押し込むことによって解除でき、これにより、ロック片１２をロックオフ状態からロックオン状態にできる。
【００３０】
上記の構造を有するジョイントフック１を用いて渡り部材Ｈをパイプ材Ｐへ接続するには、ロック片１２がロックオン状態であるかロックオフ状態であるかに何ら関係なく、係合凹部７をパイプ材Ｐに対して押し込むようにすればよい。
このとき、もし、ロック片１２が当初からロックオン状態にあった場合には、ロック片１２がパイプ材Ｐに押されて一旦、フック本体部３内に退入状態となるが、パイプ材Ｐが通過口部８を通り過ぎて係合凹部７へ達した時点で、復帰バネ２３により、ロック片１２は再び通過口部８内へ進出する。
【００３１】
従って、これにより自動的にロックオン状態となり（オートロック）、ジョイントフック１がパイプ材Ｐから外れなくなる。
また、ロック片１２が当初の時点でロックオフ状態にあった場合には、係合凹部７をパイプ材Ｐに係合させた後、操作片１５をフック本体部３内へ押し込むように操作して、ロック片１２をロックオン状態とさせればよい。
【００３２】
一方、渡り部材Ｈをパイプ材Ｐから外すには、ロックオン状態（即ち、通過口部８への進出状態）にあるロック片１２をフック本体部３内へ強く押し返す。これにより、ロック片１２は、係止突起２１が板バネ２２に係合し、フック本体部３内へ退入したロックオフ状態を維持するようになる。従って、パイプ材Ｐからの取り外しが自由に行える状態となる。
【００３３】
なお、本発明は上記実施形態に限定されるものではない。
例えば、取付基部２及びフック本体部３の細部形状や材質等は何ら限定されるものではなく、取付基部２を渡り部材Ｈに対して外嵌めするようにしたり、フック本体部３の係合凹部７を角形（コ字状等）の開口形状にしたりすることが可能である。
【００３４】
また、ロック片１２と操作片１５とは、別部材により形成することも可能である。
ロック片１２の進退方向は、通過口部８をパイプ材Ｐが出たり入ったりする方向に対して、直交する向き（即ち、渡り部材Ｈと平行する方向）に設定することも可能である。
【００３５】
【発明の効果】
以上説明したように、本発明によれば、隣合う渡り部材相互を同軸心状に接続することができるので、渡り部材を可及的に通路スペースの外側へ配することができ、足場としての通路スペースが狭くなるのを防止することができる（請求項１）。
【００３６】
請求項２記載の発明によれば、フック本体部を取付基部のから偏心させたことに伴う機械的強度の低下を抑えられ、ジョイントフックの耐久性を向上することができる。
請求項３記載の発明によれば、ロック片が勝手にロックオン状態に戻ることがないので、一つの部材に対して複数のジョイントフックを有する部材の取り外し作業が容易になる。
【００３７】
請求項４記載の発明によれば、ロック片がロックオン状態の場合でもジョイントフックをパイプ材にワンタッチで連結できるようになる。
請求項５記載の発明によれば、操作片の出退状態を目視することにより、ロック片の状態を容易に確認することができる。
【図面の簡単な説明】
【図１】本発明に係るジョイントフックの一実施形態（ロックオン状態）を示す斜視図である。
【図２】第１実施形態の平面図である。
【図３】図２のＡ−Ａ線断面図である。
【図４】図３に対応させてジョイントフックのロックオフ状態を示した側断面図である。
【図５】ジョイントフックを用いて構築した建築用足場を示した全体図（中間省略部より右側は正面図、同、左側は正面断面図）である。
【図６】図５のＢ−Ｂ線矢視図である。
【図７】図５のＣ−Ｃ線矢視拡大図である。
【図８】従来のジョイントフックにおけるロックオフ状態を示す側断面図である。
【図９】従来のジョイントフックにおけるロックオン状態を示す側断面図である。
【図１０】従来のジョイントフックにおける使用状況を示す平面図てある。
【符号の説明】
１      ジョイントフック
２      取付基部
３      フック本体部
７      係合凹部
８      通過口部
１０      補強リブ
１２      ロック片
１２Ａ    円弧状縁部
１２Ｂ    カム面
１５      操作片
２２      ストッパ（板バネ）
Ｐ      パイプ材
Ｈ      渡り部材
【図１】
0003817304.tif 000002
【図２】
0003817304.tif 000003
【図３】
0003817304.tif 000004
【図４】
0003817304.tif 000005
【図５】
0003817304.tif 000006
【図６】
0003817304.tif 000007
【図７】
0003817304.tif 000008
【図８】
0003817304.tif 000009
【図９】
0003817304.tif 000010
【図１０】
0003817304.tif 000011